(57)【要約】  本発明はデータ伝送方法、端末装置及びネットワーク装置を提供し、該方法は端末装置に適用され、該端末装置はダウンリンクデータを受信するための第１チャネルを有し、該方法は、端末装置が該第１チャネルの自己干渉状況に基づき、報告情報を生成することであって、該報告情報が、ネットワーク装置が該端末装置のスケジューリング情報を決定することに用いられ、該自己干渉状況が該端末装置の有する該第１チャネル以外のチャネルの該第１チャネルへの干渉状況を指すことと、該端末装置がネットワーク装置へ該報告情報を送信することと、を含む。本発明の実施例のデータ伝送方法によれば、端末装置がネットワーク装置へ報告情報を送信することにより、ネットワーク装置は現在報告したＣＳＩ測定結果にメモリ干渉があるかどうかを把握することができ、スケジューリング情報の精度を向上させることができ、更にユーザーエクスペリエンスを向上させる。
2021502717.tif 000002
【特許請求の範囲】
【請求項１】
データ伝送方法であって、
端末装置に適用され、前記端末装置はダウンリンクデータを受信するための第１チャネルを有し、前記方法は、
端末装置が前記第１チャネルの自己干渉状況に基づいて報告情報を生成することであって、前記報告情報が、ネットワーク装置が前記端末装置のスケジューリング情報を決定することに用いられ、前記自己干渉状況が前記端末装置の有する前記第１チャネル以外のチャネルの前記第１チャネルへの干渉状況を指すことと、
前記端末装置がネットワーク装置へ前記報告情報を送信することと、を含むことを特徴とする、前記データ伝送方法。
【請求項２】
前記端末装置が前記第１チャネルの自己干渉状況に基づいて報告情報を生成することは、
前記端末装置が前記第１チャネルの第１のチャネル状態情報（ＣＳＩ）を生成することと、
前記端末装置が前記第１チャネルの自己干渉状況に基づいて指示情報を生成することであって、前記指示情報は前記端末装置が前記第１のＣＳＩを測定する際に前記第１チャネルに自己干渉があるかどうかを示すことに用いられることと、を含み、
前記端末装置がネットワーク装置へ前記報告情報を送信することは、
前記端末装置が前記ネットワーク装置へ前記指示情報を送信することを含み、
前記方法は、更に、
前記端末装置が前記報告情報と同時に前記ネットワーク装置へ前記第１のＣＳＩを送信することを含むことを特徴とする
請求項１に記載の方法。
【請求項３】
前記端末装置が前記第１チャネルの自己干渉状況に基づいて報告情報を生成することは、
前記端末装置が前記第１チャネルの自己干渉状況に基づき、前記第１チャネルの第２チャネル状態情報ＣＳＩ及び前記第１チャネルの第３のＣＳＩを生成することを含み、前記第２のＣＳＩは前記第１チャネルに自己干渉がある際に前記端末装置の測定したＣＳＩであり、前記第３のＣＳＩは前記第１チャネルに自己干渉がない際に前記端末装置の測定したＣＳＩであり、
前記端末装置がネットワーク装置へ前記報告情報を送信することは、
前記端末装置が前記ネットワーク装置へ前記第２のＣＳＩ及び前記第３のＣＳＩを送信することを含むことを特徴とする
請求項１に記載の方法。
【請求項４】
前記端末装置が前記第１チャネルの自己干渉状況に基づいて報告情報を生成することは、
前記端末装置が前記第１チャネルの自己干渉状況に基づいて前記第１チャネルの第２チャネル状態情報ＣＳＩを生成することを含み、前記第２のＣＳＩは前記第１チャネルに自己干渉がある際に前記端末装置の測定したＣＳＩであり、
前記端末装置がネットワーク装置へ前記報告情報を送信することは、
前記端末装置が前記ネットワーク装置へ前記第２のＣＳＩを送信することを含むことを特徴とする
請求項１に記載の方法。
【請求項５】
前記端末装置が前記第１チャネルの自己干渉状況に基づいて報告情報を生成することは、
前記端末装置が前記第１チャネルの自己干渉状況に基づき、前記ネットワーク装置の使用できる少なくとも１つの変調及び符号化方式（ＭＣＳ）を決定することを含み、
前記端末装置がネットワーク装置へ前記報告情報を送信することは、
前記端末装置が前記ネットワーク装置へ前記少なくとも１つのＭＣＳを送信することを含むことを特徴とする
請求項１に記載の方法。
【請求項６】
前記端末装置はアップリンクデータを送信するための第２チャネルを有し、前記報告情報は更に第１情報及び第１送信電力情報を含み、前記第１情報は前記端末装置が前記第２チャネルを介してアップリンクデータを送信する際の前記第２チャネルのキャリア周波数情報及び帯域幅情報を含み、前記第１送信電力情報は前記端末装置が前記第２チャネルを介してアップリンクデータを送信する際の前記第２チャネルの送信電力情報であることを特徴とする
請求項１〜５のいずれか１項に記載の方法。
【請求項７】
データ伝送方法であって、
ネットワーク装置が端末装置から送信された報告情報を受信することであって、前記報告情報は前記端末装置が第１チャネルの自己干渉状況に基づいて決定した情報であり、前記第１チャネルは前記端末装置がダウンリンクデータを受信するためのチャネルであり、前記自己干渉状況が前記端末装置の有する前記第１チャネル以外のチャネルの前記第１チャネルへの干渉状況を指すことと、
前記ネットワーク装置が前記報告情報に基づいて前記端末装置のスケジューリング情報を決定することと、を含むことを特徴とする、前記データ伝送方法。
【請求項８】
前記ネットワーク装置が端末装置から送信された報告情報を受信することは、
前記ネットワーク装置が前記端末装置から送信された指示情報を受信することを含み、前記指示情報は前記端末装置が前記第１チャネルの第１のチャネル状態情報（ＣＳＩ）を測定する際に前記第１チャネルに自己干渉があるかどうかを示すことに用いられ、
前記方法は、更に、前記ネットワーク装置が前記報告情報と同時に前記端末装置から送信された前記第１のＣＳＩを受信することを含み、
前記ネットワーク装置が前記報告情報に基づいて前記端末装置のスケジューリング情報を決定することは、
前記ネットワーク装置が前記指示情報及び前記第１のＣＳＩに基づき、前記端末装置のスケジューリング情報を決定することを含むことを特徴とする
請求項７に記載の方法。
【請求項９】
前記ネットワーク装置が端末装置から送信された報告情報を受信することは、
前記ネットワーク装置が端末装置から送信された前記第１チャネルの第２チャネル状態情報ＣＳＩ及び前記第１チャネルの第３のＣＳＩを受信することを含み、前記第２のＣＳＩは前記第１チャネルに自己干渉がある際に前記端末装置の測定したＣＳＩであり、前記第３のＣＳＩは前記第１チャネルに自己干渉がない際に前記端末装置の測定したＣＳＩであり、
前記ネットワーク装置が前記報告情報に基づいて前記端末装置のスケジューリング情報を決定することは、
前記ネットワーク装置が前記第２のＣＳＩ及び前記第３のＣＳＩに基づき、前記端末装置のスケジューリング情報を決定することを含むことを特徴とする
請求項７に記載の方法。
【請求項１０】
前記ネットワーク装置が端末装置から送信された報告情報を受信することは、
前記ネットワーク装置が端末装置から送信された前記第１チャネルの第２チャネル状態情報ＣＳＩを受信することを含み、前記第２のＣＳＩは前記第１チャネルに自己干渉がある際に前記端末装置の測定したＣＳＩであり、
前記ネットワーク装置が前記報告情報に基づいて前記端末装置のスケジューリング情報を決定することは、
前記ネットワーク装置が前記第２のＣＳＩに基づき、前記端末装置のスケジューリング情報を決定することを含むことを特徴とする
請求項７に記載の方法。
【請求項１１】
前記ネットワーク装置が端末装置から送信された報告情報を受信することは、
前記ネットワーク装置が端末装置から送信された、前記ネットワーク装置の使用できる少なくとも１つの変調及び符号化方式（ＭＣＳ）を受信することを含み、
前記ネットワーク装置が前記報告情報に基づいて前記端末装置のスケジューリング情報を決定することは、
前記ネットワーク装置が前記少なくとも１つのＭＣＳに基づき、前記端末装置のスケジューリング情報を決定することを含むことを特徴とする
請求項７に記載の方法。
【請求項１２】
前記報告情報は更に第１情報及び第１送信電力情報を含み、前記第１情報は前記端末装置が第２チャネルを介してアップリンクデータを送信する際の前記第２チャネルのキャリア周波数情報及び帯域幅情報を含み、前記第１送信電力情報は前記端末装置が前記第２チャネルを介してアップリンクデータを送信する際の前記第２チャネルの送信電力情報であることを特徴とする
請求項７〜１１のいずれか１項に記載の方法。
【請求項１３】
前記ネットワーク装置が前記報告情報に基づいて前記端末装置のスケジューリング情報を決定することは、
前記ネットワーク装置が前記第１情報及び前記第１送信電力情報に基づき、第２情報及び第２送信電力情報を決定することであって、前記第２情報が、前記端末装置が前記第１チャネルを介してダウンリンクデータを受信する際の前記第２チャネルのキャリア周波数情報及び帯域幅情報を含み、前記第２送信電力情報が、前記端末装置が前記第１チャネルを介してダウンリンクデータを受信する際の前記第２チャネルの送信電力情報であることと、
前記ネットワーク装置が前記第２情報及び前記第２送信電力情報に基づき、前記スケジューリング情報を決定することと、を含むことを特徴とする
請求項１２に記載の方法。
【請求項１４】
端末装置であって、
前記端末装置は、ダウンリンクデータを受信するための第１チャネルを有し、
前記第１チャネルの自己干渉状況に基づき、報告情報を生成するように構成される処理ユニットであって、前記報告情報が、ネットワーク装置が前記端末装置のスケジューリング情報を決定することに用いられ、前記自己干渉状況が前記端末装置の有する前記第１チャネル以外のチャネルの前記第１チャネルへの干渉状況を指す、処理ユニットと、
ネットワーク装置へ前記報告情報を送信するように構成される送受信ユニットと、を備えることを特徴とする、前記端末装置。
【請求項１５】
前記処理ユニットは、具体的に、
前記第１チャネルの第１のチャネル状態情報（ＣＳＩ）を生成し、
前記第１チャネルの自己干渉状況に基づき、指示情報を生成することに用いられ、前記指示情報は前記端末装置が前記第１のＣＳＩを測定する際に前記第１チャネルに自己干渉があるかどうかを示すことに用いられ、
前記送受信ユニットは、
前記ネットワーク装置へ前記指示情報を送信し、
前記報告情報と同時に前記ネットワーク装置へ前記第１のＣＳＩを送信することに用いられることを特徴とする
請求項１４に記載の端末装置。
【請求項１６】
前記処理ユニットは、具体的に、
前記第１チャネルの自己干渉状況に基づき、前記第１チャネルの第２チャネル状態情報ＣＳＩ及び前記第１チャネルの第３のＣＳＩを生成することに用いられ、前記第２のＣＳＩは前記第１チャネルに自己干渉がある際に前記端末装置の測定したＣＳＩであり、前記第３のＣＳＩは前記第１チャネルに自己干渉がない際に前記端末装置の測定したＣＳＩであり、
前記送受信ユニットは、
前記ネットワーク装置へ前記第２のＣＳＩ及び前記第３のＣＳＩを送信することに用いられることを特徴とする
請求項１４に記載の端末装置。
【請求項１７】
前記処理ユニットは、具体的に、
前記第１チャネルの自己干渉状況に基づき、前記第１チャネルの第２チャネル状態情報ＣＳＩを生成することに用いられ、前記第２のＣＳＩは前記第１チャネルに自己干渉がある際に前記端末装置の測定したＣＳＩであり、
前記送受信ユニットは、
前記ネットワーク装置へ前記第２のＣＳＩを送信することに用いられることを特徴とする
請求項１４に記載の端末装置。
【請求項１８】
前記処理ユニットは、具体的に、
前記第１チャネルの自己干渉状況に基づき、前記ネットワーク装置の使用できる少なくとも１つの変調及び符号化方式（ＭＣＳ）を決定することに用いられ、
前記送受信ユニットは、
前記ネットワーク装置へ前記少なくとも１つのＭＣＳを送信することに用いられることを特徴とする
請求項１４に記載の端末装置。
【請求項１９】
前記端末装置はアップリンクデータを送信するための第２チャネルを有し、前記報告情報は更に第１情報及び第１送信電力情報を含み、前記第１情報は前記端末装置が前記第２チャネルを介してアップリンクデータを送信する際の前記第２チャネルのキャリア周波数情報及び帯域幅情報を含み、前記第１送信電力情報は前記端末装置が前記第２チャネルを介してアップリンクデータを送信する際の前記第２チャネルの送信電力情報であることを特徴とする
請求項１４〜１８のいずれか１項に記載の端末装置。
【請求項２０】
データを伝送するネットワーク装置であって、
端末装置から送信された報告情報を受信するように構成される送受信ユニットであって、前記報告情報は前記端末装置が第１チャネルの自己干渉状況に基づいて決定した情報であり、前記第１チャネルは前記端末装置がダウンリンクデータを受信するためのチャネルであり、前記自己干渉状況が前記端末装置の有する前記第１チャネル以外のチャネルの前記第１チャネルへの干渉状況を指す、送受信ユニットと、
前記報告情報に基づき、前記端末装置のスケジューリング情報を決定するように構成される処理ユニットと、を備えることを特徴とする、前記データを伝送するネットワーク装置。
【請求項２１】
前記送受信ユニットは、具体的に、
前記端末装置から送信された指示情報を受信し、前記指示情報が、前記端末装置が前記第１チャネルの第１のチャネル状態情報（ＣＳＩ）を測定する際に前記第１チャネルに自己干渉があるかどうかを示すことに用いられ、
前記報告情報と同時に前記端末装置から送信された前記第１のＣＳＩを受信することに用いられ、
前記処理ユニットは、
前記第１のＣＳＩ及び前記指示情報に基づき、前記端末装置のスケジューリング情報を決定することに用いられることを特徴とする
請求項２０に記載のネットワーク装置。
【請求項２２】
前記送受信ユニットは、具体的に、
端末装置から送信された前記第１チャネルの第２チャネル状態情報ＣＳＩ及び前記第１チャネルの第３のＣＳＩを受信することに用いられ、前記第２のＣＳＩは前記第１チャネルに自己干渉がある際に前記端末装置の測定したＣＳＩであり、前記第３のＣＳＩは前記第１チャネルに自己干渉がない際に前記端末装置の測定したＣＳＩであり、
前記処理ユニットは、
前記第２のＣＳＩ及び前記第３のＣＳＩに基づき、前記端末装置のスケジューリング情報を決定することに用いられることを特徴とする
請求項２０に記載のネットワーク装置。
【請求項２３】
前記送受信ユニットは、具体的に、
端末装置から送信された前記第１チャネルの第２チャネル状態情報ＣＳＩを受信することに用いられ、前記第２のＣＳＩは前記第１チャネルに自己干渉がある際に前記端末装置の測定したＣＳＩであり、
前記処理ユニットは、
前記第２のＣＳＩに基づき、前記端末装置のスケジューリング情報を決定することに用いられることを特徴とする
請求項２０に記載のネットワーク装置。
【請求項２４】
前記送受信ユニットは、具体的に、
端末装置から送信された、前記ネットワーク装置の使用できる少なくとも１つの変調及び符号化方式（ＭＣＳ）を受信することに用いられ、
前記処理ユニットは、
前記少なくとも１つのＭＣＳに基づき、前記端末装置のスケジューリング情報を決定することに用いられることを特徴とする
請求項２０に記載のネットワーク装置。
【請求項２５】
前記報告情報は更に第１情報及び第１送信電力情報を含み、前記第１情報は前記端末装置が第２チャネルを介してアップリンクデータを送信する際の前記第２チャネルのキャリア周波数情報及び帯域幅情報を含み、前記第１送信電力情報は前記端末装置が前記第２チャネルを介してアップリンクデータを送信する際の前記第２チャネルの送信電力情報であることを特徴とする
請求項２０〜２４のいずれか１項に記載のネットワーク装置。
【請求項２６】
前記処理ユニットは、具体的に、
前記第１情報及び前記第１送信電力情報に基づき、第２情報及び第２送信電力情報を決定し、前記第２情報が、前記端末装置が前記第１チャネルを介してダウンリンクデータを受信する際の前記第２チャネルのキャリア周波数情報及び帯域幅情報を含み、前記第２送信電力情報が、前記端末装置が前記第１チャネルを介してダウンリンクデータを受信する際の前記第２チャネルの送信電力情報であり、
前記第２情報及び前記第２送信電力情報に基づき、前記スケジューリング情報を決定することに用いられることを特徴とする
請求項２５に記載のネットワーク装置。
【発明の詳細な説明】
【技術分野】
【０００１】
本発明の実施例は通信分野に関し、且つより具体的に、データ伝送方法、端末装置及びネットワーク装置に関する。
【背景技術】
【０００２】
人々の速度、遅延、高速モビリティ、エネルギー効率への追及及び将来生活の中のサービスの多様性、複雑性に伴って、第３世代移動体通信システムの標準化プロジェクト（３ＧＰＰ：Ｔｈｅ  ３ｒｄ  Ｇｅｎｅｒａｔｉｏｎ  Ｐａｒｔｎｅｒｓｈｉｐ  Ｐｒｏｊｅｃｔ）国際標準化機構は第５世代移動通信システム（５Ｇ：５−Ｇｅｎｅｒａｔｉｏｎ）についての研究開発を開始した。５Ｇの主な応用シーンは超高速大容量（ｅＭＢＢ：Ｅｎｈａｎｃｅ  Ｍｏｂｉｌｅ  Ｂｒｏａｄｂａｎｄ）、超高信頼低遅延通信（ＵＲＬＬＣ：Ｕｌｔｒａ−Ｒｅｌｉａｂｌｅ  ａｎｄ  Ｌｏｗ  Ｌａｔｅｎｃｙ  Ｃｏｍｍｕｎｉｃａｔｉｏｎ）、大規模マシンタイプ通信（ｍＭＴＣ：ｍａｓｓｉｖｅ  ｍａｃｈｉｎｅ  ｔｙｐｅ  ｏｆ  ｃｏｍｍｕｎｉｃａｔｉｏｎ）である。
【０００３】
従来技術において、通信事業者が前期ＬＴＥに対して投資を行うように確保するために、ＬＴＥとＮＲとの間の密接な相互動作（ｔｉｇｈｔ  ｉｎｔｅｒｗｏｒｋｉｎｇ）の動作モードを提供する。具体的には、帯域幅（ｂａｎｄ）の組み合わせでＬＴＥ−ＮＲデュアル接続（ＤＣ：Ｄｕａｌ  Ｃｏｎｎｅｃｔｉｏｎ）によるデータの伝送をサポートし、システムスループットを向上させる。
【０００４】
しかしながら、１つの端末装置が同時に異なる周波数帯にある２つ又はそれ以上のキャリアにおいて動作する場合、これらのキャリアのアップリンク信号がいくつかのキャリアのダウンリンク受信信号に干渉を与える恐れがあり、ところが、ネットワーク装置はデータのスケジューリング情報に対して端末装置によるチャネル環境の測定すなわち端末装置のチャネル状態情報（ＣＳＩ）の測定報告によって端末装置のスケジューリング情報を決定する。現在のＣＳＩ測定結果は実際のチャネル環境を示さない。更にネットワーク装置の決定したスケジューリング情報の精度が狂う恐れがあり、ユーザーエクスペリエンスを低下させてしまう。
【０００５】
例えば、ＣＳＩを測定する際に内部干渉がないが、データを受信する時刻に内部干渉があり、このため、復号に失敗してしまう。
【発明の概要】
【発明が解決しようとする課題】
【０００６】
本発明はデータ伝送成功率を効果的に向上させることのできるデータ伝送方法、端末装置及びネットワーク装置を提供する。
【課題を解決するための手段】
【０００７】
第１態様では、データ伝送方法を提供し、前記方法は端末装置に適用され、前記端末装置はダウンリンクデータを受信するための第１チャネルを有し、
前記方法は、
端末装置が前記第１チャネルの自己干渉状況に基づいて報告情報を生成することであって、前記報告情報が、ネットワーク装置が前記端末装置のスケジューリング情報を決定することに用いられ、前記自己干渉状況が前記端末装置の有する前記第１チャネル以外のチャネルの前記第１チャネルへの干渉状況を指すことと、
前記端末装置がネットワーク装置へ前記報告情報を送信することと、を含む。
【０００８】
本発明の実施例はデータ伝送方法を提供し、端末装置がネットワーク装置へ報告情報を送信することにより、ネットワーク装置は現在報告したチャネル状態情報（ＣＳＩ：Ｃｈａｎｎｅｌ  Ｓｔａｔｅ  Ｉｎｆｏｒｍａｔｉｏｎ）測定結果にメモリ干渉があるかどうかを把握することができ、スケジューリング情報の精度を向上させることができ、更にユーザーエクスペリエンスを向上させる。
【０００９】
いくつかの可能な実現方式では、前記端末装置が前記第１チャネルの自己干渉状況に基づいて報告情報を生成することは、
前記端末装置が前記第１チャネルの第１のチャネル状態情報（ＣＳＩ）を生成することと、
前記端末装置が前記第１チャネルの自己干渉状況に基づいて指示情報を生成することと、を含み、前記指示情報は前記端末装置が前記第１のＣＳＩを測定する際に前記第１チャネルに自己干渉があるかどうかを示すことに用いられ、前記端末装置がネットワーク装置へ前記報告情報を送信することは、
前記端末装置が前記ネットワーク装置へ前記指示情報を送信することを含み、前記方法は、更に、
前記端末装置が前記報告情報と同時に前記ネットワーク装置へ前記第１のＣＳＩを送信することを含む。
【００１０】
いくつかの可能な実現方式では、前記端末装置が前記第１チャネルの自己干渉状況に基づいて報告情報を生成することは、
前記端末装置が前記第１チャネルの自己干渉状況に基づき、前記第１チャネルの第２チャネル状態情報ＣＳＩ及び前記第１チャネルの第３のＣＳＩを生成することを含み、前記第２のＣＳＩは前記第１チャネルに自己干渉がある際に前記端末装置の測定したＣＳＩであり、前記第３のＣＳＩは前記第１チャネルに自己干渉がない際に前記端末装置の測定したＣＳＩであり、前記端末装置がネットワーク装置へ前記報告情報を送信することは、
前記端末装置が前記ネットワーク装置へ前記第２のＣＳＩ及び前記第３のＣＳＩを送信することを含む。
【００１１】
いくつかの可能な実現方式では、前記端末装置が前記第１チャネルの自己干渉状況に基づいて報告情報を生成することは、
前記端末装置が前記第１チャネルの自己干渉状況に基づいて前記第１チャネルの第２チャネル状態情報ＣＳＩを生成することを含み、前記第２のＣＳＩは前記第１チャネルに自己干渉がある際に前記端末装置の測定したＣＳＩであり、前記端末装置がネットワーク装置へ前記報告情報を送信することは、
前記端末装置が前記ネットワーク装置へ前記第２のＣＳＩを送信することを含む。
【００１２】
いくつかの可能な実現方式では、前記端末装置が前記第１チャネルの自己干渉状況に基づいて報告情報を生成することは、
前記端末装置が前記第１チャネルの自己干渉状況に基づき、前記ネットワーク装置の使用できる少なくとも１つの変調及び符号化方式（ＭＣＳ：Ｍｏｄｕｌａｔｉｏｎ  ａｎｄ  Ｃｏｄｉｎｇ  Ｓｃｈｅｍｅ）を決定することを含み、前記端末装置がネットワーク装置へ前記報告情報を送信することは、
前記端末装置が前記ネットワーク装置へ前記少なくとも１つのＭＣＳを送信することを含む。
【００１３】
いくつかの可能な実現方式では、前記端末装置はアップリンクデータを送信するための第２チャネルを有し、前記報告情報は更に第１情報及び第１送信電力情報を含み、前記第１情報は前記端末装置が前記第２チャネルを介してアップリンクデータを送信する際の前記第２チャネルのキャリア周波数情報及び帯域幅情報を含み、前記第１送信電力情報は前記端末装置が前記第２チャネルを介してアップリンクデータを送信する際の前記第２チャネルの送信電力情報である。
【００１４】
第２態様では、データ伝送方法を提供し、該方法は、
ネットワーク装置が端末装置から送信された報告情報を受信することであって、前記報告情報が、前記端末装置が第１チャネルの自己干渉状況に基づいて決定した情報であり、前記第１チャネルが、前記端末装置がダウンリンクデータを受信するためのチャネルであり、前記自己干渉状況が前記端末装置の有する前記第１チャネル以外のチャネルの前記第１チャネルへの干渉状況を指すことと、
前記ネットワーク装置が前記報告情報に基づいて前記端末装置のスケジューリング情報を決定することと、を含む。
【００１５】
いくつかの可能な実現方式では、前記ネットワーク装置が端末装置から送信された報告情報を受信することは、
前記ネットワーク装置が端末装置から送信された指示情報を受信することを含み、前記指示情報は前記端末装置が前記第１チャネルの第１のチャネル状態情報（ＣＳＩ）を測定する際に前記第１チャネルに自己干渉があるかどうかを示すことに用いられ、前記方法は、更に、
前記端末装置が前記報告情報と同時に前記ネットワーク装置へ前記第１のＣＳＩを送信することを含み、
前記ネットワーク装置が前記報告情報に基づいて前記端末装置のスケジューリング情報を決定することは、
前記ネットワーク装置が前記第１のＣＳＩ及び前記指示情報に基づき、前記端末装置のスケジューリング情報を決定することを含む。
【００１６】
いくつかの可能な実現方式では、前記ネットワーク装置が端末装置から送信された報告情報を受信することは、
前記ネットワーク装置が端末装置から送信された前記第１チャネルの第２チャネル状態情報ＣＳＩ及び前記第１チャネルの第３のＣＳＩを受信することを含み、前記第２のＣＳＩは前記第１チャネルに自己干渉がある際に前記端末装置の測定したＣＳＩであり、前記第３のＣＳＩは前記第１チャネルに自己干渉がない際に前記端末装置の測定したＣＳＩであり、前記ネットワーク装置が前記報告情報に基づいて前記端末装置のスケジューリング情報を決定することは、
前記ネットワーク装置が前記第２のＣＳＩ及び前記第３のＣＳＩに基づき、前記端末装置のスケジューリング情報を決定することを含む。
【００１７】
いくつかの可能な実現方式では、前記ネットワーク装置が端末装置から送信された報告情報を受信することは、
前記ネットワーク装置が端末装置から送信された前記第１チャネルの第２チャネル状態情報ＣＳＩを受信することを含み、前記第２のＣＳＩは前記第１チャネルに自己干渉がある際に前記端末装置の測定したＣＳＩであり、前記ネットワーク装置が前記報告情報に基づいて前記端末装置のスケジューリング情報を決定することは、
前記ネットワーク装置が前記第２のＣＳＩに基づき、前記端末装置のスケジューリング情報を決定することを含む。
【００１８】
いくつかの可能な実現方式では、前記ネットワーク装置が端末装置から送信された報告情報を受信することは、
前記ネットワーク装置が端末装置から送信された、前記ネットワーク装置の使用できる少なくとも１つの変調及び符号化方式（ＭＣＳ）を受信することを含み、前記ネットワーク装置が前記報告情報に基づいて前記端末装置のスケジューリング情報を決定することは、
前記ネットワーク装置が前記少なくとも１つのＭＣＳに基づき、前記端末装置のスケジューリング情報を決定することを含む。
【００１９】
いくつかの可能な実現方式では、前記報告情報は更に第１情報及び第１送信電力情報を含み、前記第１情報は前記端末装置が第２チャネルを介してアップリンクデータを送信する際の前記第２チャネルのキャリア周波数情報及び帯域幅情報を含み、前記第１送信電力情報は前記端末装置が前記第２チャネルを介してアップリンクデータを送信する際の前記第２チャネルの送信電力情報である。
【００２０】
いくつかの可能な実現方式では、前記ネットワーク装置が前記報告情報に基づいて前記端末装置のスケジューリング情報を決定することは、
前記ネットワーク装置が前記第１情報及び前記第１送信電力情報に基づき、第２情報及び第２送信電力情報を決定し、前記第２情報が、前記端末装置が前記第１チャネルを介してダウンリンクデータを受信する際の前記第２チャネルのキャリア周波数情報及び帯域幅情報を含み、前記第２送信電力情報が、前記端末装置が前記第１チャネルを介してダウンリンクデータを受信する際の前記第２チャネルの送信電力情報であることと、
前記ネットワーク装置が前記第２情報及び前記第２送信電力情報に基づき、前記スケジューリング情報を決定することと、を含む。
【００２１】
第３態様では、端末装置を提供し、該端末装置はダウンリンクデータを受信するための第１チャネルを有し、該端末装置は、
該第１チャネルの自己干渉状況に基づき、報告情報を生成するように構成される処理ユニットであって、該報告情報が、ネットワーク装置が該端末装置のスケジューリング情報を決定することに用いられ、該自己干渉状況が該端末装置の有する該第１チャネル以外のチャネルの該第１チャネルへの干渉状況を指す、処理ユニットと、
ネットワーク装置へ該報告情報を送信するように構成される送受信ユニットと、を備える。
【００２２】
第４態様では、端末装置を提供し、該端末装置はダウンリンクデータを受信するための第１チャネルを有し、該端末装置は、
該第１チャネルの自己干渉状況に基づき、報告情報を生成するように構成されるプロセッサであって、該報告情報が、ネットワーク装置が該端末装置のスケジューリング情報を決定することに用いられ、該自己干渉状況が該端末装置の有する該第１チャネル以外のチャネルの該第１チャネルへの干渉状況を指す、プロセッサと、
ネットワーク装置へ該報告情報を送信するように構成される送受信機と、を備える。
【００２３】
第５態様では、ネットワーク装置を提供し、該ネットワーク装置は、
端末装置から送信された報告情報を受信するように構成される送受信ユニットであって、該報告情報が、該端末装置が第１チャネルの自己干渉状況に基づいて決定した情報であり、該第１チャネルが、該端末装置がダウンリンクデータを受信するためのチャネルであり、該自己干渉状況が該端末装置の有する該第１チャネル以外のチャネルの該第１チャネルへの干渉状況を指す、送受信ユニットと、
該報告情報に基づき、該端末装置のスケジューリング情報を決定するように構成される処理ユニットと、を備える。
【００２４】
第６態様では、ネットワーク装置を提供し、該ネットワーク装置は、
端末装置から送信された報告情報を受信するように構成される送受信機であって、該報告情報が、該端末装置が第１チャネルの自己干渉状況に基づいて決定した情報であり、該第１チャネルが、該端末装置がダウンリンクデータを受信するためのチャネルであり、該自己干渉状況が該端末装置の有する該第１チャネル以外のチャネルの該第１チャネルへの干渉状況を指す、送受信機と、
該報告情報に基づき、該端末装置のスケジューリング情報を決定するように構成されるプロセッサと、を備える。
【００２５】
第７態様では、コンピュータ可読媒体を提供し、該コンピュータ可読媒体はコンピュータプログラムを記憶することに用いられ、該コンピュータプログラムは上記第１態様又は第２態様の方法実施例を実行するための命令を含む。
【００２６】
第８態様では、コンピュータチップを提供し、該コンピュータチップは入力インターフェース、出力インターフェース、少なくとも１つのプロセッサ、メモリを備え、前記プロセッサは前記メモリにおけるコードを実行することに用いられ、前記コードが実行されるとき、前記プロセッサは上記第１態様及び様々な実現方式におけるデータ伝送方法における端末装置の実行する各過程を実現することができる。
【００２７】
第９態様では、コンピュータチップを提供し、該コンピュータチップは入力インターフェース、出力インターフェース、少なくとも１つのプロセッサ、メモリを備え、前記プロセッサは前記メモリにおけるコードを実行することに用いられ、前記コードが実行されるとき、前記プロセッサは上記第２態様及び様々な実現方式におけるデータ伝送方法におけるネットワーク装置の実行する各過程を実現することができる。
【００２８】
第１０態様では、通信システムを提供し、該通信システムは前記ネットワーク装置及び前記端末装置を備える。
【図面の簡単な説明】
【００２９】
【図１】図１は本発明の実施例の通信システムの例を示す図である。
【図２】図２は本発明の実施例のデータ伝送方法の模式的なフローチャートである。
【図３】図３は本発明の実施例の端末装置の模式的なブロック図である。
【図４】図４は本発明の実施例の端末装置の他の模式的なブロック図である。
【図５】図５は本発明の実施例のネットワーク装置の模式的なブロック図である。
【図６】図６は本発明の実施例のネットワーク装置の他の模式的なブロック図である。
【発明を実施するための形態】
【００３０】
図１は本発明の実施例の応用シーンの模式図である。
【００３１】
図１に示すように、通信システム１００は端末装置１１０及びネットワーク装置１２０を備えてもよい。ネットワーク装置１２０は無線インターフェースを介して端末装置１１０と通信することができる。端末装置１１０とネットワーク装置１２０とがマルチサービス伝送をサポートする。
【００３２】
本発明の実施例は通信システム１００を例として説明するが、本発明の実施例はこれに限らないと理解すべきである。すなわち、本発明の実施例の技術案は様々な通信システム、例えば、モバイル通信用グローバル（ＧＳＭ：Ｇｌｏｂａｌ  Ｓｙｓｔｅｍ  ｏｆ  Ｍｏｂｉｌｅ  ｃｏｍｍｕｎｉｃａｔｉｏｎ）システム、符号分割多元接続（ＣＤＭＡ：Ｃｏｄｅ  Ｄｉｖｉｓｉｏｎ  Ｍｕｌｔｉｐｌｅ  Ａｃｃｅｓｓ）システム、広帯域符号分割多元接続（ＷＣＤＭＡ：Ｗｉｄｅｂａｎｄ  Ｃｏｄｅ  Ｄｉｖｉｓｉｏｎ  Ｍｕｌｔｉｐｌｅ  Ａｃｃｅｓｓ）システム、汎用パケット無線サービス（ＧＰＲＳ：Ｇｅｎｅｒａｌ  Ｐａｃｋｅｔ  Ｒａｄｉｏ  Ｓｅｒｖｉｃｅ）、ロングタームエボリューション（ＬＴＥ：Ｌｏｎｇ  Ｔｅｒｍ  Ｅｖｏｌｕｔｉｏｎ）システム、ＬＴＥ時分割複信（ＴＤＤ：Ｔｉｍｅ  Ｄｉｖｉｓｉｏｎ  Ｄｕｐｌｅｘ）システム、ユニバーサルモバイルテレコミュニケーションズシステム（ＵＭＴＳ：Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）等に適用されてもよい。
【００３３】
なお、本発明はネットワーク装置及び端末装置と組み合わせて各実施例を説明する。
【００３４】
ネットワーク装置１２０は信号を送受信するためのネットワーク側のいずれか１つのエンティティを指してもよい。例えば、マシン通信（ＭＴＣ）のユーザー装置、ＧＳＭ又はＣＤＭＡにおける基地局（ＢＴＳ：Ｂａｓｅ  Ｔｒａｎｓｃｅｉｖｅｒ  Ｓｔａｔｉｏｎ）、ＷＣＤＭＡにおける基地局（ＮｏｄｅＢ）、ＬＴＥにおける発展型基地局（ｅＮＢ又はｅＮｏｄｅＢ：Ｅｖｏｌｕｔｉｏｎａｌ  Ｎｏｄｅ  Ｂ）、５Ｇネットワークにおける基地局装置等であってもよい。
【００３５】
端末装置１１０はいかなる端末装置であってもよい。具体的に、端末装置１１０は無線アクセスネットワーク（ＲＡＮ：Ｒａｄｉｏ  Ａｃｃｅｓｓ  Ｎｅｔｗｏｒｋ）経由で１つ又は複数のコアネットワーク（Ｃｏｒｅ  Ｎｅｔｗｏｒｋ）と通信することができ、前記端末装置は更にアクセス端末、ユーザー装置（ＵＥ：Ｕｓｅｒ  Ｅｑｕｉｐｍｅｎｔ）、ユーザー要素、加入者局、移動局、トラバーサー、遠隔局、遠隔端末、モバイルデバイス、ユーザー端末、端末、無線通信装置、ユーザーエージェント又はユーザーデバイスと称されてもよい。例えば、セルラー方式の電話、コードレスホン、セッション確立プロトコル（ＳＩＰ：Ｓｅｓｓｉｏｎ  Ｉｎｉｔｉａｔｉｏｎ  Ｐｒｏｔｏｃｏｌ）電話、ワイヤレスローカルループ（ＷＬＬ：Ｗｉｒｅｌｅｓｓ  Ｌｏｃａｌ  Ｌｏｏｐ）局、パーソナルデジタルアシスタント（ＰＤＡ：Ｐｅｒｓｏｎａｌ  Ｄｉｇｉｔａｌ  Ａｓｓｉｓｔａｎｔ）、無線通信機能を有する携帯端末、コンピューティングデバイス又は無線モデムに接続される他の処理装置、車載装置、ウェアラブル端末及び５Ｇネットワークにおける端末装置等であってもよい。
【００３６】
５Ｇ通信システムにおいて、新無線インターフェース（ＮＲ：Ｎｅｗ  Ｒａｄｉｏ）を初期配置するとき、完全なＮＲカバレッジを実現することが困難であるため、代表的なネットワークカバレッジは広域のロングタームエボリューション（ＬＴＥ：Ｌｏｎｇ  Ｔｅｒｍ  Ｅｖｏｌｕｔｉｏｎ）カバレッジ及びＮＲの孤島カバレッジモードである。且つ、多くのＬＴＥが６ＧＨｚ以下で配置されるため、５Ｇに使用できる６ＧＨｚ以下のスペクトルが少ない。
【００３７】
上記問題を解決するために、本発明の実施例は帯域幅（ｂａｎｄ）の組み合わせでＬＴＥ−ＮＲデュアル接続（ＤＣ：Ｄｕａｌ  Ｃｏｎｎｅｃｔｉｏｎ）によるデータの伝送をサポートすることができ、システムスループットを向上させる。しかしながら、１つの端末装置が同時に異なる周波数帯にある２つ又はそれ以上のキャリアにおいて動作するとき、これらのキャリアのアップリンク信号がいくつかのキャリアのダウンリンク受信信号に干渉を与える恐れがあり、このため、データ伝送成功率を低下させてしまう。
【００３８】
例えば、キャリアＦ１が低周波数帯において動作するが、キャリアＦ２が高周波数帯において動作すると仮定すれば、以下の３つの異なるタイプの相互干渉がある可能性がある。
【００３９】
第１種類の相互干渉タイプ
該相互干渉タイプはキャリアＦ１とキャリアＦ２とがいずれもアップリンクキャリアであり、且つキャリアＦ１及びキャリアＦ２のある次混変調信号（ＩＭ：ｉｎｔｅｒｍｏｄｕｌａｔｉｏｎ）の周波数とあるキャリアＦ３のダウンリンク信号周波数とが重複し又は部分的に重複する。そうするとキャリアＦ１及びＦ２がＦ３に干渉を与える。ここで、Ｆ３はキャリアＦ１又はＦ２のうちの１つ又はＦ１／Ｆ２と異なる他のキャリアである可能性がある（この時、端末が２つ以上のキャリアにおいて同時に動作する可能性がある）。例えば、端末装置に帯域幅（Ｂａｎｄ）１及びＢａｎｄ７のＬＴＥキャリア、ＮＲキャリア（３４００−３８００ＭＨｚ）が同時に構成される場合、ｂａｎｄ  ７のアップリンク（ＵＬ）及びＮＲのＵＬが同時に伝送されれば、その生じた５次混変調がｂａｎｄ  １のダウンリンク（ＤＬ）受信機の感度に影響を与える。
【００４０】
第２種類の相互干渉タイプ
該相互干渉タイプはキャリアＦ１がアップリンクキャリア、キャリアＦ２がダウンリンクキャリアであり、キャリアＦ１の周波数逓倍とキャリアＦ２の周波数とが重複し又は部分的に重複する。そうするとキャリアＦ１がキャリアＦ２に高調波（ｈａｒｍｏｎｉｃ）干渉を与える。例えば、ＬＴＥ  Ｂａｎｄ  ３の帯域幅が１７１０−１７８５ＭＨｚであり、その２次高調波範囲が３４２０〜３５７０ＭＨｚである。１つの端末がｂａｎｄ  ３においてＬＴＥアップリンク伝送を行うとともにＮＲ周波数帯３４００〜３８００ＭＨｚにおいてＤＬ受信を行う場合、２次高調波がＮＲのＤＬ受信機の感度に干渉を与える可能性がある。
【００４１】
第３種類の相互干渉タイプ
該相互干渉タイプはキャリアＦ１がダウンリンクキャリア、キャリアＦ２がアップリンクキャリアであり、キャリアＦ１の周波数逓倍とキャリアＦ２の周波数とが重複し又は部分的に重複する。そうするとキャリアＦ２がＦ１に高調波混変調（ｈａｒｍｏｎｉｃ  ｍｉｘｉｎｇ）干渉を与える。例えば、ＬＴＥ  Ｂａｎｄ  ３のダウンリンク１８０５〜１８８０ＭＨｚについては、その２次高調波範囲が３６１０〜３７６０ＭＨｚである。１つの端末がｂａｎｄ  ３においてＬＴＥダウンリンク受信を行うとともにＮＲ周波数帯３４００〜３８００ＭＨｚにおいてアップリンク送信を行う場合、ＮＲの２次高調波混変調がＬＴＥのＤＬ受信機の感度に干渉を与える可能性がある。
【００４２】
ところが、ネットワーク装置はデータのスケジューリング情報に対して端末装置によるチャネル環境の測定、すなわち端末装置のチャネル状態情報（ＣＳＩ）の測定報告によって端末装置のスケジューリング情報を決定する。端末装置がＣＳＩを測定するとき、端末装置に内部干渉がある場合、ＣＳＩ測定結果に影響を与える。すなわち、現在のＣＳＩ測定結果が実際のチャネル環境を示さない。更にネットワーク装置の決定したスケジューリング情報の精度が狂う恐れがあり、ユーザーエクスペリエンスを低下させてしまう。
【００４３】
例えば、ＣＳＩを測定する際に内部干渉がないが、データを受信した時刻に内部干渉がある場合、復号に失敗した。
【００４４】
従って、本発明の実施例はデータ伝送方法を提供し、端末装置がネットワーク装置へ報告情報を送信することにより、ネットワーク装置は現在報告したＣＳＩ測定結果にメモリ干渉があるかどうかを把握することができ、スケジューリング情報の精度を向上させることができ、更にユーザーエクスペリエンスを向上させる。
【００４５】
図２は本発明の実施例のデータ伝送方法の模式的なフローチャートである。
【００４６】
図２に示すように、該方法は、
端末装置が該端末装置の第１チャネルの自己干渉状況に基づき、報告情報を生成する２１０と、
該端末装置がネットワーク装置へ該報告情報を送信する２２０と、
該ネットワーク装置が該報告情報に基づき、該端末装置のスケジューリング情報を決定する２３０と、を含む。
【００４７】
具体的には、端末装置が該第１チャネルの自己干渉状況に基づき、報告情報を生成し、該報告情報はネットワーク装置が該端末装置のスケジューリング情報を決定することに用いられ、該第１チャネルは該端末装置がダウンリンクデータを受信するためのチャネルであり、該自己干渉状況が該端末装置の有する該第１チャネル以外のチャネルの該第１チャネルへの干渉状況を指し、該端末装置がネットワーク装置へ該報告情報を送信する。
【００４８】
本発明の実施例における端末装置は自己干渉がある可能性のある端末装置であると理解すべきである。例えば、端末装置は第２チャネルを介してアップリンクデータを送信するとともに、第１チャネルを介してネットワーク装置から送信されたダウンリンクデータを受信することができ、この時、アップリンクデータがダウンリンクデータの受信に自己干渉を与え、ダウンリンクデータの復調性能を低下させる。すなわち、該端末装置の第１チャネルと該第２チャネルとの間に相互干渉がある。又は、該第１チャネルに自己干渉がある。
【００４９】
本発明の実施例において、端末装置がネットワーク装置へ報告情報を送信することにより、ネットワーク装置は現在報告したＣＳＩ測定結果にメモリ干渉があるかどうかを把握することができ、更に端末装置が端末装置に報告したＣＳＩ測定結果の精度が狂うことを回避することを目的とする。これにより、スケジューリング情報の精度を向上させ、更にユーザーエクスペリエンスを向上させる。
【００５０】
以下、端末装置が該報告情報を生成する実現方式を参照して説明する。
【００５１】
一実施例において、該端末装置は該第１チャネルの自己干渉状況に基づき、指示情報を生成することができ、該指示情報は該端末装置が該第１のＣＳＩを測定する際に該第１チャネルに自己干渉があるかどうかを示すことに用いられ、該端末装置は該ネットワーク装置へ該指示情報を送信して、該指示情報と同時に該ネットワーク装置へ該第１のＣＳＩを送信する。これにより、該ネットワーク装置は該第１のＣＳＩ及び該指示情報に基づき、該端末装置のスケジューリング情報を正確に決定することができる。
【００５２】
該第１のＣＳＩが該指示情報と同時に送信されることは同時に送信されてもよく、同時に送信されなくてもよいと理解すべきである。
【００５３】
例えば、該第１のＣＳＩ及び該指示情報が同じメッセージに含まれて送信されてもよい。
【００５４】
具体的には、該端末装置はＣＳＩを測定する時刻に自己干渉側からのアップリンクデータ送信があるかどうかを把握し、すなわち、該端末装置は該第１チャネルの自己干渉状況を把握するため、該端末装置は測定されたＣＳＩにおいて測定時刻に内部干渉があるかどうかによって、ＣＳＩを報告するとき、対応するＣＳＩに自己干渉があるかどうかを示すための１つの指示情報を追加してもよい。
【００５５】
他の実施例において、該端末装置は該第１チャネルの自己干渉状況に基づき、該第１チャネルの第２のＣＳＩ及び該第１チャネルの第３のＣＳＩを生成することができ、該第２のＣＳＩは該第１チャネルに自己干渉がある際に該端末装置の測定したＣＳＩであり、該第３のＣＳＩは該第１チャネルに自己干渉がない際に該端末装置の測定したＣＳＩである。すなわち、該端末装置が該ネットワーク装置へ該第２のＣＳＩ及び該第３のＣＳＩを送信する。これにより、該ネットワーク装置は該第２のＣＳＩ及び該第３のＣＳＩに基づき、該端末装置のスケジューリング情報を正確に決定することができる。
【００５６】
すなわち、ＣＳＩを報告する時刻に２つのＣＳＩをネットワーク装置に報告する。一方は内部干渉がある際のＣＳＩであり、他方は内部干渉がない際のＣＳＩである。
【００５７】
他の実施例において、該端末装置は該第１チャネルの自己干渉状況に基づき、該第１チャネルの第２チャネル状態情報ＣＳＩを生成することができ、該第２のＣＳＩは該第１チャネルに自己干渉がある際に該端末装置の測定したＣＳＩである。すなわち、該端末装置は該ネットワーク装置へ該第２のＣＳＩを送信する。これにより、該ネットワーク装置は該第２のＣＳＩに基づき、該端末装置のスケジューリング情報を正確に決定することができる。
【００５８】
本発明の実施例において、該端末装置はＣＳＩを報告する時刻に内部干渉がある際のＣＳＩのみを報告してもよく、これにより、ネットワーク装置が低次変調及び符号化方式（ＭＣＳ）を用いるように指示し、更にデータ伝送の信頼性を確保すると理解すべきである。
【００５９】
他の実施例において、該端末装置は該第１チャネルの自己干渉状況に基づき、該ネットワーク装置の使用できる少なくとも１つの変調及び符号化方式（ＭＣＳ）を決定する。すなわち、該端末装置は該ネットワーク装置へ上記少なくとも１つのＭＣＳを送信する。これにより、該ネットワーク装置は上記少なくとも１つのＭＣＳに基づき、該端末装置のスケジューリング情報を正確に決定することができる。
【００６０】
具体的には、端末装置は第１チャネルの自己干渉状況及び自己干渉状況とＭＣＳとの対応関係に基づき、上記少なくとも１つのＭＣＳを決定することができる。例えば、端末は該第１チャネルに自己干渉状況があると決定するとき、上記少なくとも１つのＭＣＳを決定し、この少なくとも１つのＭＣＳが低次ＭＣＳである。更に、例えば、端末装置は該第１チャネルに自己干渉状況がないと決定するとき、上記少なくとも１つのＭＣＳを決定し、この少なくとも１つのＭＣＳが高次ＭＣＳである。
【００６１】
本発明の実施例において、ネットワーク装置が端末装置の報告したＣＳＩに基づいてスケジューリング情報を決定することは、端末装置がスケジューリング情報を決定する実現方式を例示的に説明するためのものであり、本発明の実施例はこれに限らない。
【００６２】
例えば、該端末装置はアップリンクデータを送信するための第２チャネルを有し、該報告情報は更に第１情報及び第１送信電力情報を含み、該第１情報は該端末装置が該第２チャネルを介してアップリンクデータを送信する際の該第２チャネルのキャリア周波数情報及び帯域幅情報を含み、該第１送信電力情報は該端末装置が該第２チャネルを介してアップリンクデータを送信する際の該第２チャネルの送信電力情報である。
【００６３】
具体的には、該ネットワーク装置は該報告情報を受信することにより、該第１情報及び該第１送信電力情報に基づき、第２情報及び第２送信電力情報を決定することができ、該第２情報は該端末装置が該第１チャネルを介してダウンリンクデータを受信する際の該第２チャネルのキャリア周波数情報及び帯域幅情報を含み、該第２送信電力情報は該端末装置が該第１チャネルを介してダウンリンクデータを受信する際の該第２チャネルの送信電力情報であり、該ネットワーク装置は該第２情報及び該第２送信電力情報に基づき、該スケジューリング情報を決定する。
【００６４】
すなわち、端末装置はＣＳＩを報告するとともに、ＣＳＩを測定する時刻の上記第１情報及び第１送信電力情報を報告することもできる。これにより、ネットワーク装置は端末装置をスケジューリングしてダウンリンクデータを受信させるとき、報告したＣＳＩ及びダウンリンクデータを受信する時刻に予測した第２情報及び第２送信電力に基づいて次のダウンリンクデータのスケジューリング情報を決定する。
【００６５】
図３は本発明の実施例の端末装置３００の模式的なブロック図であり、本発明の実施例における端末装置は少なくともダウンリンクデータを受信するための第１チャネルを有すると理解すべきである。
【００６６】
図３に示すように、該端末装置３００は、
該第１チャネルの自己干渉状況に基づき、報告情報を生成するように構成される処理ユニット３１０であって、該報告情報が、ネットワーク装置が該端末装置のスケジューリング情報を決定することに用いられ、該自己干渉状況が該端末装置の有する該第１チャネル以外のチャネルの該第１チャネルへの干渉状況を指す、処理ユニット３１０と、
ネットワーク装置へ該報告情報を送信するように構成される送受信ユニット３２０と、を備える。
【００６７】
好ましくは、該処理ユニット３１０は、具体的に、
該第１チャネルの第１チャネル状態情報を生成し、
該第１チャネルの自己干渉状況に基づき、指示情報を生成することに用いられ、該指示情報は該端末装置が該第１のＣＳＩを測定する際に該第１チャネルに自己干渉があるかどうかを示すことに用いられ、該送受信ユニット３２０は、
該ネットワーク装置へ該第１のＣＳＩ及び該報告情報を送信することに用いられ、該報告情報が該指示情報を含む。
【００６８】
好ましくは、該処理ユニット３１０は、具体的に、
該第１チャネルの自己干渉状況に基づき、該第１チャネルの第２チャネル状態情報ＣＳＩ及び該第１チャネルの第３のＣＳＩを生成することに用いられ、該第２のＣＳＩは該第１チャネルに自己干渉がある際に該端末装置の測定したＣＳＩであり、該第３のＣＳＩは該第１チャネルに自己干渉がない際に該端末装置の測定したＣＳＩであり、該送受信ユニット３２０は、
該ネットワーク装置へ該第２のＣＳＩ及び該第３のＣＳＩを送信することに用いられる。
【００６９】
好ましくは、該処理ユニット３１０は、具体的に、
該第１チャネルの自己干渉状況に基づき、該第１チャネルの第２チャネル状態情報ＣＳＩを生成することに用いられ、該第２のＣＳＩは該第１チャネルに自己干渉がある際に該端末装置の測定したＣＳＩであり、該送受信ユニット３２０は、
該ネットワーク装置へ該第２のＣＳＩを送信することに用いられる。
【００７０】
好ましくは、該処理ユニット３１０は、具体的に、
該第１チャネルの自己干渉状況に基づき、該ネットワーク装置の使用できる少なくとも１つの変調及び符号化方式（ＭＣＳ）を決定することに用いられ、該送受信ユニット３２０は、
該ネットワーク装置へ上記少なくとも１つのＭＣＳを送信することに用いられる。
【００７１】
好ましくは、該端末装置はアップリンクデータを送信するための第２チャネルを有し、該報告情報は更に第１情報及び第１送信電力情報を含み、該第１情報は該端末装置が該第２チャネルを介してアップリンクデータを送信する際の該第２チャネルのキャリア周波数情報及び帯域幅情報を含み、該第１送信電力情報は該端末装置が該第２チャネルを介してアップリンクデータを送信する際の該第２チャネルの送信電力情報である。
【００７２】
ただし、処理ユニット３１０はプロセッサにより実現されてもよく、送受信ユニット３２０は送受信機により実現されてもよい。図４に示すように、端末装置４００はプロセッサ４１０、送受信機４２０及びメモリ４３０を備えてもよい。メモリ４３０は指示情報を記憶することに用いられてもよく、プロセッサ４１０の実行するコード、命令等を記憶することに用いられてもよい。端末装置４００における各コンポーネントはバスシステムによって接続され、バスシステムはデータバスのほか、更に電源バス、制御バス及び状態信号バスを含む。
【００７３】
図４に示される端末装置４００は前述の図２の方法実施例における端末装置の実現する各過程を実現することができ、重複を避けるため、ここで詳細な説明は省略する。
【００７４】
図５は本発明の実施例のネットワーク装置５００の模式的なブロック図である。
【００７５】
図５に示すように、該ネットワーク装置５００は、
端末装置から送信された報告情報を受信するように構成される送受信ユニット５１０であって、該報告情報が、該端末装置が第１チャネルの自己干渉状況に基づいて決定した情報であり、該第１チャネルが、該端末装置がダウンリンクデータを受信するためのチャネルであり、該自己干渉状況が該端末装置の有する該第１チャネル以外のチャネルの該第１チャネルへの干渉状況を指す、送受信ユニット５１０と、
該報告情報に基づき、該端末装置のスケジューリング情報を決定するように構成される処理ユニット５２０と、を備える。
【００７６】
好ましくは、該送受信ユニット５１０は、具体的に、
端末装置から送信された第１のチャネル状態情報（ＣＳＩ）及び該報告情報を受信することに用いられ、該報告情報は指示情報を含み、該指示情報は該端末装置が該第１のＣＳＩを測定する際に該第１チャネルに自己干渉があるかどうかを示すことに用いられ、該処理ユニット５２０は、
該第１のＣＳＩ及び該指示情報に基づき、該端末装置のスケジューリング情報を決定することに用いられる。
【００７７】
好ましくは、該送受信ユニット５１０は、具体的に、
端末装置から送信された該第１チャネルの第２チャネル状態情報ＣＳＩ及び該第１チャネルの第３のＣＳＩを受信することに用いられ、該第２のＣＳＩは該第１チャネルに自己干渉がある際に該端末装置の測定したＣＳＩであり、該第３のＣＳＩは該第１チャネルに自己干渉がない際に該端末装置の測定したＣＳＩであり、該処理ユニット５２０は、
該第２のＣＳＩ及び該第３のＣＳＩに基づき、該端末装置のスケジューリング情報を決定することに用いられる。
【００７８】
好ましくは、該送受信ユニット５１０は、具体的に、
端末装置から送信された該第１チャネルの第２チャネル状態情報ＣＳＩを受信することに用いられ、該第２のＣＳＩは該第１チャネルに自己干渉がある際に該端末装置の測定したＣＳＩであり、該処理ユニット５２０は、
該第２のＣＳＩに基づき、該端末装置のスケジューリング情報を決定することに用いられる。
【００７９】
好ましくは、該送受信ユニット５１０は、具体的に、
端末装置から送信された、該ネットワーク装置の使用できる少なくとも１つの変調及び符号化方式（ＭＣＳ）を受信することに用いられ、該処理ユニット５２０は、
上記少なくとも１つのＭＣＳに基づき、該端末装置のスケジューリング情報を決定することに用いられる。
【００８０】
好ましくは、該報告情報は更に第１情報及び第１送信電力情報を含み、該第１情報は該端末装置が第２チャネルを介してアップリンクデータを送信する際の該第２チャネルのキャリア周波数情報及び帯域幅情報を含み、該第１送信電力情報は該端末装置が該第２チャネルを介してアップリンクデータを送信する際の該第２チャネルの送信電力情報である。
【００８１】
好ましくは、該処理ユニット５２０は、具体的に、
該第１情報及び該第１送信電力情報に基づき、第２情報及び第２送信電力情報を決定し、該第２情報が、該端末装置が該第１チャネルを介してダウンリンクデータを受信する際の該第２チャネルのキャリア周波数情報及び帯域幅情報を含み、該第２送信電力情報が、該端末装置が該第１チャネルを介してダウンリンクデータを受信する際の該第２チャネルの送信電力情報であり、
該第２情報及び該第２送信電力情報に基づき、該スケジューリング情報を決定することに用いられる。
【００８２】
ただし、送受信ユニット５１０は送受信機により実現されてもよく、処理ユニット５２０はプロセッサにより実現されてもよい。図６に示すように、ネットワーク装置６００はプロセッサ６１０、送受信機６２０及びメモリ６３０を備えてもよい。メモリ６３０は指示情報を記憶することに用いられてもよく、プロセッサ６１０の実行するコード、命令等を記憶することに用いられてもよい。ネットワーク装置６００における各コンポーネントはバスシステムによって接続され、バスシステムはデータバスのほか、更に電源バス、制御バス及び状態信号バスを含む。
【００８３】
図６に示されるネットワーク装置６００は前述の図２の方法実施例におけるネットワーク装置の実現する各過程を実現することができ、重複を避けるため、ここで詳細な説明は省略する。すなわち、本発明の実施例における方法実施例はプロセッサに適用されてもよく、プロセッサにより実現されてもよい。
【００８４】
実現過程において、本発明の実施例における方法実施例の各ステップはプロセッサにおけるハードウェアの集積論理回路又はソフトウェア形式の命令で行われてもよい。より具体的に、本発明の実施例に開示される方法のステップはハードウェア復号プロセッサで実行して完成し、又は復号プロセッサにおけるハードウェア及びソフトウェアモジュールの組み合わせで実行して完成するように直接具現されてもよい。ソフトウェアモジュールはランダムアクセスメモリ、フラッシュメモリ、読み出し専用メモリ、プログラム可能読み出し専用メモリ又は電気消去可能プログラム可能メモリ、レジスタ等の本分野で成熟している記憶媒体に位置してもよい。該記憶媒体はメモリに位置し、プロセッサはメモリにおける情報を読み取り、そのハードウェアと組み合わせて上記方法のステップを行う。
【００８５】
プロセッサは信号処理能力を有する集積回路チップである可能性があり、本発明の実施例に開示される各方法、ステップ及び論理ブロックを実現又は実行することができる。例えば、上記プロセッサは汎用プロセッサ、デジタルシグナルプロセッサ（ＤＳＰ：ｄｉｇｉｔａｌ  ｓｉｇｎａｌ  ｐｒｏｃｅｓｓｏｒ）、特定用途向け集積回路（ＡＳＩＣ：ａｐｐｌｉｃａｔｉｏｎ  ｓｐｅｃｉｆｉｃ  ｉｎｔｅｇｒａｔｅｄ  ｃｉｒｃｕｉｔ）、フィールドプログラマブルゲートアレイ（ＦＰＧＡ：ｆｉｅｌｄ  ｐｒｏｇｒａｍｍａｂｌｅ  ｇａｔｅ  ａｒｒａｙ）又は他のプログラマブルロジックデバイス、トランジスタロジックデバイス、個別ハードウェアコンポーネント等であってもよい。なお、汎用プロセッサはマイクロプロセッサであってもよく、又は該プロセッサはいかなる通常のプロセッサ等であってもよい。
【００８６】
なお、本発明の実施例において、メモリは揮発性メモリであっても、又は不揮発性メモリであってもよく、又は、揮発性メモリ及び不揮発性メモリの両方を含んでもよい。不揮発性メモリは読み出し専用メモリ（ＲＯＭ：ｒｅａｄ−ｏｎｌｙ  ｍｅｍｏｒｙ）、プログラム可能読み出し専用メモリ（ＰＲＯＭ：ｐｒｏｇｒａｍｍａｂｌｅ  ＲＯＭ）、消去可能プログラム可能読み出し専用メモリ（ＥＰＲＯＭ：ｅｒａｓａｂｌｅ  ＰＲＯＭ）、電気的消去可能プログラム可能読み出し専用メモリ（ＥＥＰＲＯＭ：ｅｌｅｃｔｒｉｃａｌｌｙ  ＥＰＲＯＭ）又はフラッシュメモリであってよい。揮発性メモリは外部キャッシュメモリとして使用されるランダムアクセスメモリ（ＲＡＭ：ｒａｎｄｏｍ  ａｃｃｅｓｓ  ｍｅｍｏｒｙ）であってもよい。上記メモリは例示的な説明であって制限的ではなく、例えば、本発明の実施例におけるメモリは更にスタティックランダムアクセスメモリ（ＳＲＡＭ：ｓｔａｔｉｃ  ＲＡＭ）、ダイナミックランダムアクセスメモリ（ＤＲＡＭ：ｄｙｎａｍｉｃ  ＲＡＭ）、シンクロナスダイナミックランダムアクセスメモリ（ＳＤＲＡＭ：ｓｙｎｃｈｒｏｎｏｕｓ  ＤＲＡＭ）、ダブルデータレートシンクロナスダイナミックランダムアクセスメモリ（ＤＤＲ  ＳＤＲＡＭ：ｄｏｕｂｌｅ  ｄａｔａ  ｒａｔｅ  ＳＤＲＡＭ）、拡張型シンクロナスダイナミックランダムアクセスメモリ（ＥＳＤＲＡＭ：ｅｎｈａｎｃｅｄ  ＳＤＲＡＭ）、シンクリンクダイナミックランダムアクセスメモリ（ＳＬＤＲＡＭ：ｓｙｎｃｈ  ｌｉｎｋ  ＤＲＡＭ）及びダイレクトラムバスランダムアクセスメモリ（ＤＲ  ＲＡＭ：Ｄｉｒｅｃｔ  Ｒａｍｂｕｓ  ＲＡＭ）等であってもよいと理解すべきである。すなわち、本明細書に説明されるシステム及び方法のメモリはこれらのメモリ及び任意の他の適切なタイプのメモリを含んでもよいが、それらに限らないように意図されるものである。
【００８７】
最後に、本発明の実施例及び添付の特許請求の範囲に使用される用語は特定の実施例を説明するためのものであり、本発明の実施例を制限するためのものではない。
【００８８】
例えば、上下の文脈において他の意味を明確に示していない限り、本発明の実施例及び添付の特許請求の範囲に使用される単数形式の「１つ」、「前記」及び「該」は複数形式も含むように意図されている。
【００８９】
更に、例えば、本発明の実施例において用語「第１端末装置」と「第２端末装置」を用いる可能性があるが、これらの端末装置はこれらの用語に限らない。これらの用語は異なるタイプのセル群を区分するためのものである。
【００９０】
更に、例えば、コンテクストによって、ここで使用される用語「○○時」は「○○であれば」又は「○○場合」又は「○○際」又は「決定に応答する」又は「検出に応答する」と解釈されてもよい。それと似ていて、コンテクストによって、連語「決定すれば」又は「（陳述した条件又はイベントを）検出すれば」は「決定する時」又は「決定に応答する」又は「（陳述した条件又はイベントを）検出する時」又は「（陳述した条件又はイベントの）検出に応答する」と解釈されてもよい。
【００９１】
当業者であれば意識できるように、本明細書に開示される実施例を参照して説明した各例示的なユニット及びアルゴリズムステップは、電子ハードウェア、又はコンピュータソフトウェア及び電子ハードウェアの組み合わせで実現できる。これらの機能をハードウェアそれともソフトウェア方式で実行するかは、技術案の特定応用及び設計制約条件によって決定される。当業者は各特定応用に対して異なる方法でここの説明される機能を実現することができるが、このような実現は本発明の実施例の範囲を超えるものと見なされるべきではない。
【００９２】
当業者であれば明確に理解できるように、説明を容易且つ簡単にするために、上記説明されるシステム、装置及びユニットの具体的な動作過程は、前述の方法実施例における対応過程を参照してもよく、ここで詳細な説明は省略する。
【００９３】
本願に係るいくつかの実施例において、開示されるシステム、装置及び方法は他の方式で実現されてもよいと理解すべきである。例えば、以上に説明される装置実施例は模式的なものに過ぎず、例えば、前記ユニットの区分は論理機能上の区分に過ぎず、実際に実現するとき、他の区分方式があってもよく、例えば、複数のユニット又はコンポーネントは他のシステムに結合又は統合されてもよく、又はいくつかの特徴は省略してもよく、又は実行しなくてもよい。一方、表示又は検討される相互間の結合又は直接結合又は通信接続はいくつかのインターフェース、装置又はユニットによる間接結合又は通信接続であってもよく、電気、機械又は他の形式であってもよい。
【００９４】
分離部材として説明される前記ユニットは物理的に分離してもよく、物理的に分離しなくてもよく、ユニットとして表示される部材は物理ユニットであってもよく、物理ユニットでなくてもよく、すなわち、一箇所に位置してもよく、複数のネットワークユニットに配置されてもよい。実際の必要に応じて、その一部又は全部のユニットを選択して本発明の実施例の目的を実現してもよい。
【００９５】
また、本発明の実施例において、各機能ユニットは１つの処理ユニットに統合されてもよく、各ユニットは独立して物理的に存在してもよく、２つ又は２つ以上のユニットは１つのユニットに統合されてもよい。
【００９６】
ソフトウェア機能ユニットの形式で実現され、独立した製品として販売又は使用されるときは、１つのコンピュータ可読記憶媒体に記憶されてもよい。このような理解に基づき、本発明の実施例の技術案の本質的又は従来技術に貢献する部分、又は該技術案の一部はソフトウェア製品の形式で具現されてもよく、該コンピュータソフトウェア製品は、１台のコンピュータ装置（パーソナルコンピュータ、サーバ又はネットワーク装置等）に本発明の実施例に記載の方法の全部又は一部のステップを実行させるための若干の命令を含む１つの記憶媒体に記憶される。そして、上記記憶媒体はＵＳＢメモリ、ポータブルハードディスク、読み出し専用メモリ、ランダムアクセスメモリ、磁気ディスク又は光ディスク等のプログラムコードを記憶できる様々な媒体を含む。
【００９７】
以上は本発明の実施例の具体的な実施形態であって、本発明の実施例の保護範囲を制限するためのものではなく、当業者が本発明の実施例に開示される技術的範囲内で容易に想到し得る変更や置換は、いずれも本発明の実施例の保護範囲内に含まれるべきである。従って、本発明の実施例の保護範囲は特許請求の範囲に準じるべきである。
【図１】
2021502717.tif 000003
【図２】
2021502717.tif 000004
【図３】
2021502717.tif 000005
【図４】
2021502717.tif 000006
【図５】
2021502717.tif 000007
【図６】
2021502717.tif 000008
【手続補正書】
【提出日】令和2年9月14日(2020.9.14)
【手続補正１】
【補正対象書類名】特許請求の範囲
【補正対象項目名】全文
【補正方法】変更
【補正の内容】
【特許請求の範囲】
【請求項１】
データ伝送方法であって、
端末装置に適用され、前記端末装置はダウンリンクデータを受信するための第１チャネルを有し、前記方法は、
端末装置が前記第１チャネルの自己干渉状況に基づいて報告情報を生成することであって、前記報告情報が、ネットワーク装置が前記端末装置のスケジューリング情報を決定することに用いられ、前記自己干渉状況が前記端末装置の有する前記第１チャネル以外のチャネルの前記第１チャネルへの干渉状況を指すことと、
前記端末装置がネットワーク装置へ前記報告情報を送信することと、を含むことを特徴とする、前記データ伝送方法。
【請求項２】
前記端末装置が前記第１チャネルの自己干渉状況に基づいて報告情報を生成することは、
前記端末装置が前記第１チャネルの第１のチャネル状態情報（ＣＳＩ）を生成することと、
前記端末装置が前記第１チャネルの自己干渉状況に基づいて指示情報を生成することであって、前記指示情報は前記端末装置が前記第１のＣＳＩを測定する際に前記第１チャネルに自己干渉があるかどうかを示すことに用いられることと、を含み、
前記端末装置がネットワーク装置へ前記報告情報を送信することは、
前記端末装置が前記ネットワーク装置へ前記指示情報を送信することを含み、
前記方法は、更に、
前記端末装置が前記報告情報と同時に前記ネットワーク装置へ前記第１のＣＳＩを送信することを含むことを特徴とする
請求項１に記載の方法。
【請求項３】
前記端末装置が前記第１チャネルの自己干渉状況に基づいて報告情報を生成することは、
前記端末装置が前記第１チャネルの自己干渉状況に基づき、前記第１チャネルの第２チャネル状態情報ＣＳＩ及び前記第１チャネルの第３のＣＳＩを生成することを含み、前記第２のＣＳＩは前記第１チャネルに自己干渉がある際に前記端末装置の測定したＣＳＩであり、前記第３のＣＳＩは前記第１チャネルに自己干渉がない際に前記端末装置の測定したＣＳＩであり、
前記端末装置がネットワーク装置へ前記報告情報を送信することは、
前記端末装置が前記ネットワーク装置へ前記第２のＣＳＩ及び前記第３のＣＳＩを送信することを含むことを特徴とする
請求項１に記載の方法。
【請求項４】
前記端末装置が前記第１チャネルの自己干渉状況に基づいて報告情報を生成することは、
前記端末装置が前記第１チャネルの自己干渉状況に基づいて前記第１チャネルの第２チャネル状態情報ＣＳＩを生成することを含み、前記第２のＣＳＩは前記第１チャネルに自己干渉がある際に前記端末装置の測定したＣＳＩであり、
前記端末装置がネットワーク装置へ前記報告情報を送信することは、
前記端末装置が前記ネットワーク装置へ前記第２のＣＳＩを送信することを含むことを特徴とする
請求項１に記載の方法。
【請求項５】
前記端末装置が前記第１チャネルの自己干渉状況に基づいて報告情報を生成することは、
前記端末装置が前記第１チャネルの自己干渉状況に基づき、前記ネットワーク装置の使用できる少なくとも１つの変調及び符号化方式（ＭＣＳ）を決定することを含み、
前記端末装置がネットワーク装置へ前記報告情報を送信することは、
前記端末装置が前記ネットワーク装置へ前記少なくとも１つのＭＣＳを送信することを含むことを特徴とする
請求項１に記載の方法。
【請求項６】
前記端末装置はアップリンクデータを送信するための第２チャネルを有し、前記報告情報は更に第１情報及び第１送信電力情報を含み、前記第１情報は前記端末装置が前記第２チャネルを介してアップリンクデータを送信する際の前記第２チャネルのキャリア周波数情報及び帯域幅情報を含み、前記第１送信電力情報は前記端末装置が前記第２チャネルを介してアップリンクデータを送信する際の前記第２チャネルの送信電力情報であることを特徴とする
請求項１〜５のいずれか１項に記載の方法。
【請求項７】
データ伝送方法であって、
ネットワーク装置が端末装置から送信された報告情報を受信することであって、前記報告情報は前記端末装置が第１チャネルの自己干渉状況に基づいて決定した情報であり、前記第１チャネルは前記端末装置がダウンリンクデータを受信するためのチャネルであり、前記自己干渉状況が前記端末装置の有する前記第１チャネル以外のチャネルの前記第１チャネルへの干渉状況を指すことと、
前記ネットワーク装置が前記報告情報に基づいて前記端末装置のスケジューリング情報を決定することと、を含むことを特徴とする、前記データ伝送方法。
【請求項８】
前記ネットワーク装置が端末装置から送信された報告情報を受信することは、
前記ネットワーク装置が前記端末装置から送信された指示情報を受信することを含み、前記指示情報は前記端末装置が前記第１チャネルの第１のチャネル状態情報（ＣＳＩ）を測定する際に前記第１チャネルに自己干渉があるかどうかを示すことに用いられ、
前記方法は、更に、前記ネットワーク装置が前記報告情報と同時に前記端末装置から送信された前記第１のＣＳＩを受信することを含み、
前記ネットワーク装置が前記報告情報に基づいて前記端末装置のスケジューリング情報を決定することは、
前記ネットワーク装置が前記指示情報及び前記第１のＣＳＩに基づき、前記端末装置のスケジューリング情報を決定することを含むことを特徴とする
請求項７に記載の方法。
【請求項９】
前記ネットワーク装置が端末装置から送信された報告情報を受信することは、
前記ネットワーク装置が端末装置から送信された前記第１チャネルの第２チャネル状態情報ＣＳＩ及び前記第１チャネルの第３のＣＳＩを受信することを含み、前記第２のＣＳＩは前記第１チャネルに自己干渉がある際に前記端末装置の測定したＣＳＩであり、前記第３のＣＳＩは前記第１チャネルに自己干渉がない際に前記端末装置の測定したＣＳＩであり、
前記ネットワーク装置が前記報告情報に基づいて前記端末装置のスケジューリング情報を決定することは、
前記ネットワーク装置が前記第２のＣＳＩ及び前記第３のＣＳＩに基づき、前記端末装置のスケジューリング情報を決定することを含むことを特徴とする
請求項７に記載の方法。
【請求項１０】
前記ネットワーク装置が端末装置から送信された報告情報を受信することは、
前記ネットワーク装置が端末装置から送信された前記第１チャネルの第２チャネル状態情報ＣＳＩを受信することを含み、前記第２のＣＳＩは前記第１チャネルに自己干渉がある際に前記端末装置の測定したＣＳＩであり、
前記ネットワーク装置が前記報告情報に基づいて前記端末装置のスケジューリング情報を決定することは、
前記ネットワーク装置が前記第２のＣＳＩに基づき、前記端末装置のスケジューリング情報を決定することを含むことを特徴とする
請求項７に記載の方法。
【請求項１１】
前記ネットワーク装置が端末装置から送信された報告情報を受信することは、
前記ネットワーク装置が端末装置から送信された、前記ネットワーク装置の使用できる少なくとも１つの変調及び符号化方式（ＭＣＳ）を受信することを含み、
前記ネットワーク装置が前記報告情報に基づいて前記端末装置のスケジューリング情報を決定することは、
前記ネットワーク装置が前記少なくとも１つのＭＣＳに基づき、前記端末装置のスケジューリング情報を決定することを含むことを特徴とする
請求項７に記載の方法。
【請求項１２】
前記報告情報は更に第１情報及び第１送信電力情報を含み、前記第１情報は前記端末装置が第２チャネルを介してアップリンクデータを送信する際の前記第２チャネルのキャリア周波数情報及び帯域幅情報を含み、前記第１送信電力情報は前記端末装置が前記第２チャネルを介してアップリンクデータを送信する際の前記第２チャネルの送信電力情報であることを特徴とする
請求項７〜１１のいずれか１項に記載の方法。
【請求項１３】
前記ネットワーク装置が前記報告情報に基づいて前記端末装置のスケジューリング情報を決定することは、
前記ネットワーク装置が前記第１情報及び前記第１送信電力情報に基づき、第２情報及び第２送信電力情報を決定することであって、前記第２情報が、前記端末装置が前記第１チャネルを介してダウンリンクデータを受信する際の前記第２チャネルのキャリア周波数情報及び帯域幅情報を含み、前記第２送信電力情報が、前記端末装置が前記第１チャネルを介してダウンリンクデータを受信する際の前記第２チャネルの送信電力情報であることと、
前記ネットワーク装置が前記第２情報及び前記第２送信電力情報に基づき、前記スケジューリング情報を決定することと、を含むことを特徴とする
請求項１２に記載の方法。
【請求項１４】
端末装置であって、
請求項１〜６のいずれか一項に記載のデータ送信方法を実行するように構成されることを特徴とする、前記端末装置。
【請求項１５】
ネットワーク装置であって、
請求項７〜１３のいずれか一項に記載のデータ送信方法を実行するように構成される、前記ネットワーク装置。
【国際調査報告】
2021502717.tif 000009
2021502717.tif 000010
2021502717.tif 000011
2021502717.tif 000012